(57)【要約】【課題】リムーバブルメディア内やＷＥＢサーバ上のファイルをプリントするサービスに対して、一人のユーザが複数の課金処理を行った場合、レシートが複数枚発行されるわずらわしさを低減する。【解決手段】複数のジョブを流してもレシートを複数枚にせず、一枚にまとめ、課金装置の返却のロック／リリースとレシートプリントのタイミングを連動させることで、前回使用者のジョブ情報がレシートに混ざることを防ぐ。【選択図】        図１
2006295445.tif 000002
【特許請求の範囲】
【請求項１】
画像情報を入力する画像入力手段と、
画像情報を印刷する印刷手段と、
画像処理料金の支払いを受け付ける課金手段と、
領収書の発行を行う領収書発行手段と、
を含む画像処理装置において、
利用者が該画像処理装置で実行した複数のジョブに対する課金結果を、
ひとつの領収書として発行することを特徴とする画像処理装置。
【請求項２】
請求項１記載の画像処理装置であって、
前記画像入力手段は電子データの入力装置であり、
利用者が前記画像処理装置で実行したジョブは、
電子データの印刷ジョブであることを特徴とする画像処理装置。
【請求項３】
請求項１記載の画像処理装置であって、
前記画像入力手段はスキャナであり、
利用者が前記画像処理装置で実行したジョブは、
紙原稿のコピージョブであることを特徴とする画像処理装置。
【請求項４】
画像情報を入力する画像入力手段と、
画像情報を印刷する印刷手段と、
画像処理料金の支払いを受け付ける課金手段と、
領収書の発行を行う領収書発行手段と、
を含む画像処理装置において、
利用者の該画像処理装置の利用開始と利用終了を判断し、
その間に該画像処理装置で実行した画像処理料金の課金結果を、
ひとつの領収書として発行することを特徴とする画像処理装置。
【請求項５】
請求項４記載の画像処理装置であって、
前記画像入力手段は電子データの入力手段とスキャナであり、
利用者が前記画像処理装置で実行した画像処理は、
電子データの印刷処理と紙原稿のコピー処理の組み合わせであることを特徴とする画像処理装置。
【請求項６】
請求項１乃至５の何れかに記載の画像処理装置であって、
前記課金手段は、現金またはカードを挿入することができる課金手段であり、
レシート発行の処理と、現金またはカードの返却が連動することを特徴とする画像処理装置。
【請求項７】
画像情報を入力する画像入力ステップと、
画像情報を印刷する印刷ステップと、
画像処理料金の支払いを受け付ける課金ステップと、
領収書の発行を行う領収書発行ステップと、
を含む画像処理方法において、
利用者が該画像処理方法で実行した複数のジョブに対する課金結果を、
ひとつの領収書として発行することを特徴とする画像処理方法。
【請求項８】
請求項７記載の画像処理方法であって、
前記画像入力ステップは電子データの入力であり、
利用者が該画像処理方法で実行したジョブは、
電子データの印刷ジョブであることを特徴とする画像処理方法。
【請求項９】
請求項８記載の画像処理方法であって、
前記画像入力ステップはスキャナによって実行され、
利用者が該画像処理方法で実行したジョブは、
紙原稿のコピージョブであることを特徴とする画像処理方法。
【請求項１０】
画像情報を入力する画像入力ステップと、
画像情報を印刷する印刷ステップと、
画像処理料金の支払いを受け付ける課金ステップと、
領収書の発行を行う領収書発行ステップと、
利用者の画像処理システムの利用開始と利用終了を判断する判断ステップと、
を含む画像処理方法において、
利用者が利用開始から利用終了の間に画像処理システムで実行した画像処理料金の課金結果を、
ひとつの領収書として発行することを特徴とする画像処理方法。
【請求項１１】
請求項１０記載の画像処理方法であって、
前記画像入力ステップは電子データの入力とスキャナによって実行され、
利用者が画像処理システムで実行した画像処理は、
電子データの印刷処理と紙原稿のコピー処理の組み合わせであることを特徴とする画像処理方法。
【請求項１２】
請求項７乃至１１何れか記載の画像処理方法であって、
前記課金ステップは、現金またはカードを挿入することができる課金ステップであり、
レシート発行の処理と、現金またはカードの返却が連動することを特徴とする画像処理方法。
【発明の詳細な説明】
【技術分野】
【０００１】
本発明は、課金装置を用いて印刷処理に対する課金処理を実行する画像処理装置及び画像処理方法に関するものである。
【背景技術】
【０００２】
近年、コンビニエンスストアなどにコインベンダ（料金投入装置）と複写機とを互いに接続して設置し、ユーザ自身が料金投入や複写モード設定操作を行ってコピーできるようにしたコピーサービスが普及している。これによれば、店員に頼らずコピープリント（複写物）が得られるとともにコピー料金の支払いを済ませることができる。
【０００３】
しかしながら、そのようなシステムでは、ユーザがコピー料金の領収書（レシート）を望むとき、店員にコピープリントを提示してコピー料金を計算してもらわなければならない。このため、店員がプリント枚数を数えてコピー料金を計算するという手間が生じていた。
【０００４】
ここで、特許文献１によれば、コピー使用料金を自動的に計算し、請求書を作成してプリント出力する複写機が提案されている。
【０００５】
また、特許文献２によれば、コピー装置と、店員が操作する金銭取扱可能端末とを通信できるように接続して、コピー処理にたいして識別番号を設定し、出力するプリントにその識別番号を表す識別番号情報を付加し、その識別番号およびその識別番号に対する使用料金を表す情報を金銭取扱可能端末へ送信し、店員が金銭取扱可能端末に識別番号が入力すると、使用料金を印字した領収書を出力するシステムが提案されている。
【０００６】
一方、ワードプロセッサーやパーソナルコンピュータの普及に伴って、電子文書を扱うことが多くなり、それら電子文書をコンビニエンスストアで印刷するという印刷サービスも行われている。
【特許文献１】特開平９−２１２０５１号公報
【特許文献２】特開２００１−２４２７５３号公報
【発明の開示】
【発明が解決しようとする課題】
【０００７】
しかしながら、特許文献１によれば、プリント出力されるのは請求書であるため、やはり店員が料金の精算と領収書の発行を行う必要があった。また、特許文献２によれば、印刷物にバーコードや識別番号が印刷されてしまい、かつ店員が領収書の発行を行う必要があるという問題があった。
【０００８】
また、コピー処理の課金ではコピーする毎にレシート等を発行していたが、電子データの印刷でのレシートを発行する場合、プリントジョブ単位でレシートを発行すると複数ファイルを印刷した場合には、複数のレシートが出てしまうという課題がある。
【０００９】
本発明はこのような従来の問題点を解消すべく創案されたもので、複数のコピー処理や印刷処理に対する課金のレシートを店員の手を煩わせることなく自動的にまとめて発行する画像処理装置及び画像処理方法を提供することを目的としたものである。
【課題を解決するための手段】
【００１０】
この発明は下記の構成を備えることにより上記課題を解決できるものである。
【００１１】
（１）画像情報を入力する画像入力手段と、画像情報を印刷する印刷手段と、画像処理料金の支払いを受け付ける課金手段と、領収書の発行を行う領収書発行手段と、含む画像処理装置において、利用者が該画像処理装置で実行した複数のジョブに対する課金結果を、ひとつの領収書として発行することを特徴とする画像処理装置。
【００１２】
（２）前記（１）記載の画像処理装置であって、前記画像入力手段は電子データの入力装置であり、利用者が前記画像処理装置で実行したジョブは、電子データの印刷ジョブであることを特徴とする画像処理装置。
【００１３】
（３）前記（１）記載の画像処理装置であって、前記画像入力手段はスキャナであり、利用者が前記画像処理装置で実行したジョブは、紙原稿のコピージョブであることを特徴とする画像処理装置。
【００１４】
（４）画像情報を入力する画像入力手段と、画像情報を印刷する印刷手段と、画像処理料金の支払いを受け付ける課金手段と、領収書の発行を行う領収書発行手段と、を含む画像処理装置において、利用者の該画像処理装置の利用開始と利用終了を判断し、その間に該画像処理装置で実行した画像処理料金の課金結果を、ひとつの領収書として発行することを特徴とする画像処理装置。
【００１５】
（５）前記（４）記載の画像処理装置であって、前記画像入力手段は電子データの入力手段とスキャナであり、利用者が前記画像処理装置で実行した画像処理は、電子データの印刷処理と紙原稿のコピー処理の組み合わせであることを特徴とする画像処理装置。
【００１６】
（６）前記（１）乃至（５）の何れかに記載の画像処理装置であって、前記課金手段は、現金またはカードを挿入することができる課金手段であり、レシート発行の処理と、現金またはカードの返却が連動することを特徴とする画像処理装置。
【００１７】
（７）画像情報を入力する画像入力ステップと、画像情報を印刷する印刷ステップと、画像処理料金の支払いを受け付ける課金ステップと、領収書の発行を行う領収書発行ステップと、を含む画像処理方法において、利用者が該画像処理方法で実行した複数のジョブに対する課金結果を、ひとつの領収書として発行することを特徴とする画像処理方法。
【００１８】
（８）前記（７）記載の画像処理方法であって、前記画像入力ステップは電子データの入力であり、利用者が該画像処理方法で実行したジョブは、電子データの印刷ジョブであることを特徴とする画像処理方法。
【００１９】
（９）前記（８）記載の画像処理方法であって、前記画像入力ステップはスキャナによって実行され、利用者が該画像処理方法で実行したジョブは、紙原稿のコピージョブであることを特徴とする画像処理方法。
【００２０】
（１０）画像情報を入力する画像入力ステップと、画像情報を印刷する印刷ステップと、画像処理料金の支払いを受け付ける課金ステップと、領収書の発行を行う領収書発行ステップと、利用者の画像処理システムの利用開始と利用終了を判断する判断ステップと、を含む画像処理方法において、利用者が利用開始から利用終了の間に画像処理システムで実行した画像処理料金の課金結果を、ひとつの領収書として発行することを特徴とする画像処理方法。
【００２１】
（１１）前記（１０）記載の画像処理方法であって、前記画像入力ステップは電子データの入力とスキャナによって実行され、利用者が画像処理システムで実行した画像処理は、電子データの印刷処理と紙原稿のコピー処理の組み合わせであることを特徴とする画像処理方法。
【００２２】
（１２）前記（７）乃至（１１）何れか記載の画像処理方法であって、前記課金ステップは、現金またはカードを挿入することができる課金ステップであり、レシート発行の処理と、現金またはカードの返却が連動することを特徴とする画像処理方法。
【発明の効果】
【００２３】
本発明の第１または第７の構成により、それぞれに課金をされる複数の画像形成ジョブが行われても、レシートが１つにまとめられて自動的に出力されるため、店員のわずらわしさが低減されると共に、レシートが複数枚になるわずらわしさが低減する。
【００２４】
また、本発明の第２または第８の構成により、パーソナルコンピュータ等で作成された電子データの印刷処理に対する複数の課金ジョブであっても、店員を必要とせずにひとつのレシートとなりわずらわしさが低減する。
【００２５】
また、本発明の第３または第９の構成により、紙原稿のコピー処理に対する複数の課金ジョブであっても、店員を必要とせずにひとつのレシートとなりわずらわしさが低減する。
【００２６】
また、本発明の第４または第１０の構成により、ユーザのログオンとログオフを検知することで、その間に行われた複数の課金ジョブについて、店員を必要とせずひとつのレシートとなりわずらわしさが低減する。
【００２７】
また、本発明の第５または第１１の構成により、電子データの印刷処理と紙原稿のコピー処理が交じった複数の課金ジョブであっても、店員を必要とせずひとつのレシートとなりわずらわしさが低減する。
【００２８】
また、本発明の第６または第１２の構成により、レシート発行処理が行われるまでおつりや挿入したカードが返却されないため、ユーザがレシート発行処理を行う前に、当該システムの使用を終えて立ち去ることを防ぐことができる。このため、前回のユーザの課金ジョブがユーザのレシートに記入されることを防ぐことができる。
【発明を実施するための最良の形態】
【００２９】
発明を実施するための最良の形態について実施例により詳しく説明する。
【実施例１】
【００３０】
図１は、第１の実施形態に係る複合機ＭＦＰ１のハードウェア構成を示す図である。
【００３１】
ＭＦＰ１は、データ処理装置１０１、画像読取装置１０２、記憶装置１０３、印刷装置１０４、表示装置１０５、入力装置１０６、ネットワークＩＦ（ｉｎｔｅｒｆａｃｅ）１０７、課金装置１０８、レシート出力装置１０９によって構成されている。
【００３２】
データ処理装置１０１は、プログラムの実行や、様々な装置の制御を行う。
【００３３】
画像読取装置１０２は、束状の或いは１枚の原稿の画像を光源で照射し、反射画像をレンズで固体撮像素子上に結像することで、固体撮像素子は所定解像度（例えば６００ｄｐｉ）および所定濃度レベル（例えば８ビット）の画像読み取り信号を生成し、画像読み取り信号からラスターデータよりなる画像データを構成する。
【００３４】
記憶装置１０３は、ハードディスクやメモリやＣＤ−ＲＯＭ、そしてリムーバブルメモリメディア等で構成され、データの保管、プログラムの実行コードの保持を行う。
【００３５】
印刷装置１０４は、記憶装置１０３内のデジタルデータを紙媒体に印刷する装置である。
【００３６】
表示装置１０５は、ユーザに対する情報の提供を行う。
【００３７】
入力装置１０６は、キー操作部や、表示装置１０５と一体化したタッチパネル、等の入力装置であり、ユーザからの入力を受け付ける。
【００３８】
ネットワークＩＦ１０７は、ネットワークに接続するための装置であり、ネットワークを介して入力される印刷データや制御信号をデータ処理装置に伝える。
【００３９】
課金装置１０８は、コインベンダや各種カード装置で構成され、投入された現金やプリペイドカードを管理したり、キャッシュカードを挿入させて口座情報を読取り、ネットワークＩＦ１０７を介して銀行口座からの料金引き落としを行ったりする装置である。
【００４０】
レシート出力装置１０９は、課金結果のレシートを感熱紙等に印刷出力するための装置である。当該例では、印刷装置１０４とは別の装置としているが、印刷装置１０４がレシート出力装置１０９をかねてもよい。
【００４１】
図２に、ＭＦＰ１のソフトウェア構造を示す。
【００４２】
プリントジョブ管理２０１は、入力装置１０６からの印刷指示を受けて、記憶装置１０３内の印刷データを印刷するためのプリントジョブ２０２を作成する。また、管理しているプリントジョブ２０２の状態によって、課金制御２０５に対して指示を行う。プリントジョブは、印刷データ毎に作成される。
【００４３】
プリントジョブ２０２は、記憶装置１０３内の印刷データを、ラスタライズし印刷装置制御２０８に順次送信して印刷指示を行う。また、印刷装置制御２０８の状態の変化や入力装置１０６からの指示を受け取り、ページ毎のデータ送信タイミング制御や印刷の停止を行う。
【００４４】
コピージョブ管理２０３は、入力装置１０６からのコピー指示を受けて、紙原稿のコピーを行うためのコピージョブ２０４を作成する。また、管理しているコピージョブ２０４の状態によって、課金制御２０５に対して指示を行う。
【００４５】
コピージョブ２０４は、読取装置制御２０７とプリンタ制御２０８を動作させて、読取った画像を印刷するように指示を行う。また、読取装置制御２０７や印刷装置制御２０８の状態の変化や入力装置１０６からの指示を受け取り、コピーの停止等を行う。
【００４６】
課金制御２０５は、プリントジョブ管理２０１、コピージョブ管理２０３から課金装置の予約を受けつけるとともに、印刷装置制御２０８と課金装置制御２１０の状態を見て課金の処理を行う。また、課金ログ２０６の書き込み、レシート出力用制御２０９へのログの印刷指示を行う。
【００４７】
課金ログ２０６は、課金処理の結果を記録したログである。
【００４８】
読取装置制御２０７は画像読取装置１０２を制御し、紙原稿を光学的に読み取り、画像データとして記憶装置１０３に保存する制御を行う。
【００４９】
印刷装置制御２０８は印刷装置１０４を制御し、記憶装置に記憶されている印刷データを紙に出力する。
【００５０】
レシート出力装置制御２０９は、課金制御２０５から課金ログの１レコードを受け取り、受け取った課金ログをレシートのフォーマットに画像処理して印刷物として出力する。
【００５１】
課金装置制御２１０は、課金装置１０８を制御して印刷やコピーにかかった料金を引き落とす。また、課金装置１０８の残金情報を取得し、課金制御２０５に伝える。
【００５２】
図３は、課金ログを表で表した図である。
【００５３】
課金ログは、レシートの出力単位毎のレコードで構成されている。１レコードはレシート出力単位であるジョブグループのＩＤ、ジョブグループに所属するジョブのＩＤ、ジョブの処理結果、ジョブの受付時間、ジョブの終了時間、ジョブの種類、ジョブに含まれる印刷されたページの種類、１ページ当たりの単価、そして印刷枚数が記録される。
【００５４】
図４に印刷処理に対する課金とレシート出力のフローを示す。
【００５５】
ステップＳ４０１では、表示装置１０５に記憶装置１０３内の印刷データを表示し、入力装置１０６を用いて印刷するデータを選択させる。記憶装置に印刷データを入れるには、ネットワークにつながったクライアントＰＣからネットワークＩＦ１０７を介して記憶装置１０３にデータを入れたり、リムーバブルメモリメディアに印刷データを入れてＭＦＰ１に挿入したりすることで可能となる。また、ネットワークＩＦ１０７を介して、ネットワーク上のファイルサーバや別の複合機内の印刷データを表示し、選択させてもよい。
【００５６】
ステップＳ４０２では、入力装置１０６に問い合わせてスタートボタンが押されたかどうかをチェックする。印刷スタートボタンが押されていれば、ステップＳ４０３に遷移し、そうでなければステップＳ４０１のファイル選択を繰り返す。
【００５７】
ステップＳ４０３では、課金装置の予約を行う。プリントジョブ管理２０１から、課金制御２０５に課金装置１０８の予約依頼が行われる。課金制御２０５は、コピージョブ管理２０３等の予約状況と、課金装置制御２１０に問い合わせを行い課金装置の状態が準備完了状態になっていることをチェックして予約の可否を決め、プリントジョブ管理に結果を返す。本例では、課金装置１０８がすでに予約されていたり、課金装置１０８の電源が入っていなかったりする場合は予約の失敗を返す。予約した場合は、課金装置１０８に入っている現金の返却または、課金装置１０８に挿入されたカードの返却をロックする。ただし返却がロックされただけで、現金やカードの追加は可能である。また、この際課金制御２０５はレシートの出力単位であるジョブグループのＩＤを新規に作成し、課金ログ２０６にジョブグループＩＤを元にして新しくレコードを作製する。
【００５８】
ステップＳ４０４では、ステップＳ４０３で課金制御２０５に問い合わせた予約の結果を判断する。予約が成功していればステップＳ４０５に遷移し、そうでなければ、失敗理由を表示装置１０５に表示し、再びステップＳ４０１のファイルの選択画面に戻る。
【００５９】
ステップＳ４０５では、選択されたファイルを印刷装置１０４が解釈可能なページ毎のフォーマットに展開する。プリントジョブ管理２０１はプリントジョブ２０２を作成し、展開処理はプリントジョブ２０２が行う。ファイルが複数選択されている場合、プリントジョブ２０２はその個数だけ作成される。複数のプリントジョブ２０２はファイルの選択された順番に従って、順次プリントジョブ管理２０１により展開開始を指示される。
【００６０】
ステップＳ４０６では、ジョブ単位で印刷にいくら必要かを計算する。ステップＳ４０５で展開されたファイルのページ数、ページサイズ、カラー情報、そしてＭＦＰ１にあらかじめ設定されている単価情報から、必要金額を計算する。単価情報はジョブの種類、カラー種類、紙サイズ毎に定められており、管理者によりそれぞれ設定されているものとする。
【００６１】
ステップＳ４０７では、課金制御２０５に課金装置１０８からいくら引き落としが可能かどうかを問い合わせ、印刷に必要な料金が課金装置１０８で引き落としが可能かどうかをチェックする。印刷に必要な料金が課金装置１０８から引き落とせるなら、ステップＳ４０８に遷移し、そうでなければ不足料金と追加料金の挿入を促す表示を行い、ステップＳ４１５に遷移する。
【００６２】
ステップＳ４１５では、料金不足をユーザに通知している状態であり、このときユーザが料金を追加せず、印刷処理を中止する指示を受け取った場合は、ステップＳ４１２に遷移し、そうでなければステップＳ４０７に遷移して、料金のチェックを再び行う。
【００６３】
ステップＳ４０８では、ステップＳ４０５で展開したファイルを印刷装置１０４で、印刷する。プリントジョブ２０２は印刷装置制御２０８に順次ページデータを送ることで、印刷を行う。
【００６４】
ステップＳ４０９では、ステップＳ４０８で印刷された料金を課金装置から引き落とす。印刷中に印刷のキャンセルがされた場合は、実際に印刷され出力された面数だけの料金を引き落とす。プリントジョブ制御２０１は印刷が終了すると、課金制御２０５に印刷の結果を通知する。課金制御２０５は、印刷装置制御２０８から幾ら分の出力がなされたかを通知される。その料金を課金制御２０５は課金装置制御２１０に通知し、実際に料金を引き落とす。
【００６５】
ステップＳ４１０では、印刷の結果をログに記録する。課金制御２０５は、ステップＳ４０９で課金装置制御２１０から料金の引き落としの終了を受け取ると、結果を課金ログ２０６にジョブの結果を記録する。
【００６６】
ステップＳ４１１では、ステップＳ４０１で選択されたファイルがすべて印刷されたかどうかを判断する。プリントジョブ管理２０１は、管理しているプリントジョブ２０２がすべて完了になっているかどうかを判断する。プリントジョブ２０２がすべて完了していればステップＳ４１２に遷移し、そうでなければステップＳ４０５に遷移し次のジョブの処理を開始する。
【００６７】
ステップＳ４１２では、レシートを印刷するかどうかユーザに問い合わせる。課金制御２０５はプリントジョブ管理２０１からすべてのジョブの終了を通知されると、表示装置１０５に印刷の結果と引き落とされた金額を表示すると共に、レシートの印刷を行うかどうかを尋ねる表示を行う。レシートを所望する回答が入力装置１０６になされた場合はステップＳ４１３に移行し、そうでなければステップＳ４１４に移行する。また、一定時間入力がない場合、レシートは不必要であると判断してステップＳ４１４に遷移する。
【００６８】
ステップＳ４１３では、レシートの印刷を行う。課金制御２０５は、課金ログ２０６の該当するレコードをレシート出力装置制御２０９に渡す。レシート出力装置制御は、受け取ったレコードをレシートのフォーマットに合わせて画像情報を作成し、レシート出力装置１０９を用いて印刷を行う。
【００６９】
この際、表示装置１０５にジョブのリストを表示し、ユーザが選択したものだけをレシートに記入するように処理をおこなってもよい。
【００７０】
ステップＳ４１４では、予約していた課金装置を開放する。課金制御２０５は、課金制御装置２１０に課金装置１０８の開放を指示する。予約が開放されると、残金分の現金の返却、または課金装置に挿入されたカードの返却が行われる。
【００７１】
以上が、第１の実施形態の印刷処理に対する課金とレシート出力のフローである。
【００７２】
当該例では、ステップＳ４０９で印刷後に料金を引き落としているが、一面印刷するごとに料金を引き落としてもよい。この場合、ステップＳ４０６で必要料金を計算せず、面を印刷する直前に必要料金が足りていれば印刷し、足りていなければ印刷を中止して料金の追加の表示を行うことになる。
【００７３】
図５にコピー処理に対する課金とレシート出力のフローを示す。
【００７４】
ステップＳ５０１では、表示装置１０５にコピーの設定を表示し、入力装置１０６を用いてコピーの設定の変更を促す。
【００７５】
ステップＳ５０２では、入力装置１０６に問い合わせてスタートボタンが押されたかどうかをチェックする。印刷スタートボタンが押されていれば、ステップＳ５０３に遷移し、そうでなければステップＳ５０１の設定変更を繰り返す。
【００７６】
ステップＳ５０３では、課金装置の予約を行う。コピージョブ管理２０３から、課金制御２０５に課金装置１０８の予約依頼が行われる。課金制御２０５は、プリントジョブ管理２０１等の予約状況と、課金装置制御２１０に問い合わせを行い課金装置の状態が準備完了状態になっていることをチェックして予約の可否を決め、コピージョブ管理に結果を返す。また、先のプリントのフローと同様に、課金制御２０５はレシートの出力単位であるジョブグループのＩＤを新規に作成し、課金ログ２０６にジョブグループＩＤを元にして新しくレコードを作製する。
【００７７】
ステップＳ５０４では、ステップＳ５０３で課金制御２０５に問い合わせた予約の結果を判断する。予約が成功していればステップＳ５０５に遷移し、そうでなければ、失敗理由を表示装置１０５に表示し、再びステップＳ５０１のコピーの設定画面に戻る。
【００７８】
ステップＳ５０５では、コピージョブ管理はコピージョブ２０４を作成し、読取装置制御２０７に働きかけ、画像読取装置１０２により紙原稿の読取を行う。
【００７９】
ステップＳ５０６では、ステップＳ５０４で読取った原稿の印刷いくら必要かを計算する。ステップＳ５０５で読み込んだ原稿のページ数、ページサイズ、カラー情報、コピーの設定、そしてＭＦＰ１にあらかじめ設定されている単価情報から、コピージョブ管理２０３が必要金額を計算する。
【００８０】
ステップＳ５０７では、課金制御２０５に課金装置１０８からいくら引き落としが可能かどうかを問い合わせ、印刷に必要な料金が課金装置１０８で引き落としが可能かどうかをチェックする。必要な料金が課金装置１０８から引き落とせるなら、ステップＳ５０８に遷移し、そうでなければ不足料金と追加料金の挿入を促す表示を行い、ステップＳ５１５に遷移する。
【００８１】
ステップＳ５１５では、料金不足をユーザに通知している状態であり、このときユーザが料金を追加せず、コピーを中止する指示を受け取った場合は、ステップＳ５１２に遷移し、そうでなければステップＳ５０７に遷移して、料金のチェックを再び行う。
【００８２】
ステップＳ５０８では、ステップＳ５０５で読取ったページを印刷装置１０４で、印刷する。
【００８３】
ステップＳ５０９では、ステップＳ５０８で印刷された料金を課金装置から引き落とす。印刷中に印刷のキャンセルがされた場合は、実際に印刷され出力された面数だけの料金を引き落とす。コピージョブ制御２０３は印刷が終了すると、課金制御２０５に印刷の結果を通知する。課金制御２０５は、印刷装置制御２０８から幾ら分の出力がなされたかを通知される。その料金を課金制御２０５は課金装置制御２１０に通知し、料金を引き落とす。
【００８４】
ステップＳ５１０では、印刷の結果をログに記録する。課金制御２０５は、ステップＳ５０９で課金装置制御２１０から料金の引き落としの終了を受け取ると、結果を課金ログ２０６にジョブの結果を記録する。
【００８５】
ステップＳ５１１では、表示装置１０５にコピーを終了するかどうかを尋ねる表示を行い、入力装置１０６でその回答を受け取る。ユーザがコピーを終了する指示を受け付けたら、ステップＳ５１２に遷移し、そうでなければステップＳ５１６に遷移し、コピーの設定変更を受け付けてステップ５０５からの処理を繰り返す。また、一定時間入力がない場合は、コピーを終了するものとしてステップＳ５１２に遷移する。
【００８６】
ステップＳ５１２では、レシートを印刷するかどうかユーザに問い合わせる。課金制御２０５はコピージョブ管理２０３からすべてのジョブの終了を通知されると、表示装置１０５にコピーの結果と引き落とされた金額を表示すると共に、レシートの印刷を行うかどうかを尋ねる表示を行う。レシートを所望する回答が入力装置１０６になされた場合はステップＳ５１３に移行し、そうでなければステップＳ５１４に移行する。また、一定時間入力がない場合、レシートは不必要であると判断してステップＳ５１４に遷移する。
【００８７】
ステップＳ５１３では、レシートの印刷を行う。課金制御２０５は、課金ログ２０６の該当するレコードをレシート出力装置制御２０９に渡す。レシート出力装置制御は、受け取ったレコードをレシートのフォーマットに合わせて画像情報を作成し、レシート出力装置１０９を用いて印刷を行う。
【００８８】
この際、表示装置１０５にジョブのリストを表示し、ユーザが選択したものだけをレシートに記入するように処理をおこなってもよい。
【００８９】
ステップＳ５１４では、予約していた課金装置を開放する。課金制御２０５は、課金制御装置２１０に課金装置１０８の開放を指示する。予約が開放されると、残金分の現金の返却、または課金装置に挿入されたカードの返却が行われる。
【００９０】
以上が、第１の実施形態のコピー処理に対する課金とレシート出力のフローである。
【００９１】
このように、図４、図５に示したフローにより、複数のジョブを流してもレシートが複数枚にならず、一枚にまとめられて出力される。また、課金装置の現金の返却とレシートプリントのタイミングを連動させることで、前回使用者のジョブ情報がレシートに混じることを防ぐことが出来る。
【実施例２】
【００９２】
第１の実施形態では、プリントのジョブとコピーのジョブについて、別々のレシートとなってしまうが、ユーザのログインとログアウトを管理することで、これらを同一のレシートに出力することが可能である。
【００９３】
第２の実施系のハードウェアとソフトウェアの構成は第１の実施系と同様であるが、ソフトウェアの動作は異なる。
【００９４】
図６はその処理フローを示した図である。
【００９５】
ステップＳ６０１では、表示装置１０５にログイン画面を表示し、ユーザのログインを待つ。入力装置１０６でユーザからのログインを受け付けるとステップＳ６０２に遷移する。ログインは、課金装置１０８への現金の投入もしくはカードの挿入をトリガーにしてもよい。
【００９６】
ステップＳ６０２では、課金装置の予約を行う。課金制御２０５から課金装置制御２１０に課金装置１０８の予約が行われる。予約した場合は、課金制御装置２１０により、課金装置１０８に入っている現金の返却、挿入されたカードの返却をロックする。このときは、返却がロックされるだけで、現金やカードの追加は可能である。また、この際課金制御２０５はレシートの出力単位であるジョブグループのＩＤを新規に作成し、課金ログ２０６にジョブグループＩＤを元にして新しくレコードを作製する。
【００９７】
ステップＳ６０３では、第１の実施例と同様に印刷やコピーのジョブを受け付ける。ジョブが投入されればステップＳ６０４に遷移し、そうでなければジョブの受付処理を続ける。ただし、所定の時間が過ぎた場合はログオフとみなして、ステップＳ６１１に遷移する。
ステップＳ６０４では、第１の実施例と同様に、印刷ジョブであればファイルを展開して計算を行い、コピージョブであれば紙を読取って計算を行う。
【００９８】
ステップＳ６０５では、ステップＳ６０４の処理を元に、ジョブ単位で印刷にいくら必要かを計算する。
【００９９】
ステップＳ６０６では、課金制御２０５に課金装置１０８からいくら引き落としが可能かどうかを問い合わせ、印刷に必要な料金が課金装置１０８で引き落としが可能かどうかをチェックする。印刷に必要な料金が課金装置１０８から引き落とせるなら、ステップＳ６０７に遷移し、そうでなければ不足料金と追加料金の挿入を促す表示を行い、ステップＳ６１４に遷移する。
【０１００】
ステップＳ６１４では、料金不足をユーザに通知している状態であり、このときユーザが料金を追加せず、印刷処理を中止する指示を受け取った場合は、ステップＳ６０３に遷移し、そうでなければステップＳ６０６に遷移して、料金のチェックを再び行う。
【０１０１】
ステップＳ６０７では、ステップＳ６０４で処理した画像を印刷装置１０４で、印刷する。
【０１０２】
ステップＳ６０８では、ステップＳ６０７で印刷された料金を課金装置から引き落とす。印刷中に印刷のキャンセルがされた場合は、実際に印刷され出力された面数だけの料金を引き落とす。
【０１０３】
ステップＳ６０９では、印刷の結果をログに記録する。課金制御２０５は、課金装置制御２１０から料金の引き落としの終了を受け取ると、結果を課金ログ２０６にジョブの結果を記録する。
【０１０４】
ステップＳ６１０では、表示装置１０５にユーザにシステムの使用を終了するかどうかの旨を表示しログオフを受付ける。ユーザからのログオフを受付けたのなら、ステップＳ６１１に遷移し、そうでなければステップＳ６０３に遷移してジョブの投入を再び受付ける。また、一定時間を経過した場合、ログオフとみなしてステップＳ６１１に遷移する。
【０１０５】
ステップＳ６１１では、レシートを印刷するかどうかユーザに問い合わせる。課金制御は、表示装置１０５に引き落とされた金額を表示すると共に、レシートの印刷を行うかどうかを尋ねる表示を行う。レシートを所望する回答が入力装置１０６になされた場合はステップＳ６１２に移行し、そうでなければステップＳ６１３に移行する。また、一定時間入力がない場合、レシートは不必要であると判断してステップＳ６１３に遷移する。
【０１０６】
ステップＳ６１２では、レシートの印刷を行う。課金制御２０５は、課金ログ２０６の該当するレコードをレシート出力装置制御２０９に渡す。レシート出力装置制御は、受け取ったレコードをレシートのフォーマットに合わせて画像情報を作成し、レシート出力装置１０９を用いて印刷を行う。
【０１０７】
この際も第１の実施形態と同様に、表示装置１０５にジョブのリストを表示し、ユーザが選択したものだけをレシートに記入するように処理をおこなってもよい。
【０１０８】
ステップＳ６１３では、予約していた課金装置を開放する。課金制御２０５は、課金制御装置２１０に課金装置１０８の開放を指示する。予約が開放されると、残金分の現金の返却、または課金装置に挿入されたカードの返却が行われる。
【０１０９】
以上が、第２の実施形態の印刷処理およびコピー処理に対する課金とレシート出力のフローである。
【０１１０】
このように、図６に示したフローにより、ログオンからログオフまでの処理結果が一枚のレシートにまとめられて出力される。また、課金装置の現金やカードの返却とレシートプリントのタイミングを連動しているため、前回使用者のジョブ情報がレシートに混じることを防ぐことが出来る。
【０１１１】
以上が、本発明に係る実施形態である。
【０１１２】
本発明に係る画像処理方法を実施する手段は図１、図２に記載した画像処理システムに限定されるものではなく、専用の画像処理装置、汎用コンピュータ等種々の手段を採用し得る。
【０１１３】
汎用コンピュータにおいて実行する際には、画像処理方法の各ステップを汎用コンピュータに実行させるためプログラムコードを含むコンピュータ実行可能なプログラムを、汎用コンピュータに読み込ませる。
【０１１４】
汎用コンピュータが画像処理を実行するためのプログラムは、汎用コンピュータに内蔵されたＲＯＭや、汎用コンピュータが読み取り得る記憶媒体から読み込まれ、あるいはネットワークを通じてサーバ等から読み込まれる。
【０１１５】
また本発明の趣旨と範囲は、本発明の特定の説明と図に限定されるものではなく、本願特許請求の範囲に述べられた内容の様々な修正および変更に及ぶことは当業者にとって理解されるであろう。
【図面の簡単な説明】
【０１１６】
【図１】本発明に係る第１の実施形態の画像処理システムを示すブロック図
【図２】本発明に係る第１の実施形態のソフトウェア構造を示すブロック図
【図３】本発明に係る第１の実施形態の課金ログを示す表
【図４】本発明に係る第１の実施形態の印刷処理フローを示すフローチャート
【図５】本発明に係る第１の実施形態のコピー処理フローを示すフローチャート
【図６】本発明に係る第２の実施形態の処理フローを示すフローチャート
【符号の説明】
【０１１７】
１  ＭＦＰ
１０１  データ処理装置
１０２  画像読取装置
１０３  記憶装置
１０４  印刷装置
１０５  表示装置
１０６  入力装置
１０７  ネットワークＩＦ（ｉｎｔｅｒｆａｃｅ）
１０８  課金装置
１０９  レシート出力装置
２０１  プリントジョブ管理
２０２  プリントジョブ
２０３  コピージョブ管理
２０４  コピージョブ
２０５  課金制御
２０６  課金ログ
２０７  読取装置制御
２０８  プリンタ制御
２０９  レシート出力用制御
２１０  課金装置制御
【図１】
2006295445.tif 000003
【図２】
2006295445.tif 000004
【図３】
2006295445.tif 000005
【図４】
2006295445.tif 000006
【図５】
2006295445.tif 000007
【図６】
2006295445.tif 000008